(57)【特許請求の範囲】
【請求項１】
前面枠６は、中央部にシートスイッチ３のマトリックス部３ａ露出用の開口１０を有するプレート部１１と、このプレート部１１の左右端部にそれぞれ突出状態に連設された一対の縦枠部１２、１２とから構成され、この前面枠６に、蓋本体７が、該蓋本体と一緒の回転する横軸３１と該横軸３１の外周面と圧接する板バネ３０とを備えたストッパー機構８を介して開閉自在に設けられ、前記ストッパー機構８の横軸３１は、蓋本体７の軸穴２６及び前面枠６の切欠状軸穴２１に第２のバネ３３に付勢された状態で嵌挿され、一方、前記板バネ３０は、その自由端部３０ａの一側面が横軸３１の二つのフラット面を含む外周面に面接触ないし圧接するように前記縦枠部１２、１２の内壁側に固定され、蓋本体７は、ストッパー機構８を介して中途の所定角度及び所定位置まで開いた所でそれぞれ停止する暗証符号入力盤の蓋。
【請求項２】
請求項１に於いて、横軸３１の外周面が略トラック状に形成されていることを特徴とする暗証符号入力盤の蓋。
【発明の詳細な説明】
【０００１】
【産業上の利用分野】
本発明は門扉、玄関などの壁部に埋設状態で取付けられる暗証符号入力盤の蓋の構造に関する。
【０００２】
【従来の技術】
従来、暗証符号入力盤の蓋は、例えば実開平１−１６８７６５号公報に記載されている。この公報に記載された蓋の構造は、シートスイッチ露出用の開口を有する板状の前面枠と、この前面枠に回動自在に軸支された蓋本体とから成る。
【０００３】
しかして、前記蓋本体を枢支する手段として横軸を使用しているが、この横軸は、いわゆる普通一般の枢支ピンであり、横断面が真円である。したがって、操作者が暗証番号を入力する際、次に列挙するような欠点があった。
（１）操作者が蓋本体を例えば９０度回転した上で暗証符号を入力しようとすると、常に蓋本体を片手で支持した状態で入力しなければならない。つまり、蓋本体から手を放すと、蓋本体が閉じる方向に自然に落下する。したがって、入力操作に手数を要する。
（２）操作者が仮に蓋本体を完全に、例えば略１８０度開くことができたとしても、蓋にストッパー機構が設けられていないので、蓋本体が１８０度以上回転し、しばしば蓋本体の自由端部が門扉、玄関などの壁部に当接ないし衝打する。その結果、蓋本体が傷付き、あるいは破損することがある。
【０００４】
【発明が解決しようとする課題】
本発明は以上のような従来の欠点に鑑み、蓋本体を例えば９０度回転した時でも簡単に暗証符号を入力することができ、また蓋本体を完全に回転した所でストッパー機構が確実に作用し、したがって、蓋本体が壁部に当接ないし衝打して傷付き、あるいは破損することを回避することができる暗証符号入力盤の蓋を得ることである。
【０００５】
【課題を解決するための手段】
本発明の暗証符号入力盤の蓋は、前面枠６は、中央部にシートスイッチ３のマトリックス部３ａ露出用の開口１０を有するプレート部１１と、このプレート部１１の左右端部にそれぞれ突出状態に連設された一対の縦枠部１２、１２とから構成され、この前面枠６に、蓋本体７が、該蓋本体と一緒の回転する横軸３１と該横軸３１の外周面と圧接する板バネ３０とを備えたストッパー機構８を介して開閉自在に設けられ、前記ストッパー機構８の横軸３１は、蓋本体７の軸穴２６及び前面枠６の切欠状軸穴２１に第２のバネ３３に付勢された状態で嵌挿され、一方、前記板バネ３０は、その自由端部３０ａの一側面が横軸３１の二つのフラット面を含む外周面に面接触ないし圧接するように前記縦枠部１２、１２の内壁側に固定され、蓋本体７は、ストッパー機構８を介して中途の所定角度及び所定位置まで開いた所でそれぞれ停止する。
【０００６】
上記構成に於いては、横軸３１の外周面が略トラック状に形成されている。
【０００７】
【作用】
蓋本体が略９０度回転すると、横軸３も一緒に回転する。この時板バネは横軸の一方側の弧状圧接面が板バネに摺動しながら回転するので、板バネのバネ自由端部は外拡変位する。その結果、蓋本体は横軸を介して板バネに支持され、自然に閉じる方向へ下降しない。
【０００８】
一方、蓋本体が略１８０度回転すると、板バネは復帰し、蓋本体と一緒に回転した横軸の他方側のフラット面が板バネと面接触する。その結果、蓋本体は横軸を介して板バネにストッパーされ、容易にそれ以上回転しない。
【０００９】
【実施例】
以下、図面に示す実施例により本発明を詳細に説明する。図１ないし図１１に示す暗証符号入力盤の蓋に於いて、１は図３で示すように暗証符号入力盤である。この暗証符号入力盤１は門扉、玄関等適当な壁部に埋設された図示しないスイッチボックス内に装着される。
【００１０】
暗証符号入力盤１は、プリント基板を収納したケース２の前面に暗証符号入力用のシートスイッチ３を有する。シートスイッチ３は、指の押圧（タッチ）によってオンされるマトリックス構成のスイッチであり、いわゆる通常「テンキー」と称されている。しかして、シートスイッチ３は、その表面に透明或いは半透明の偏向ガラスが使用され、指で表面をタッチすると、符号（数字）が表れる。
【００１１】
一方、４は前記暗証符号入力盤１に複数個の固着具５を介して固定的に取り付けられる蓋である。この蓋４は、構成部材を区分すると、矩形状に形成されかつパッキンを有する前面枠６と、この前面枠６に上端部が開閉自在に軸支された蓋本体７と、図１０及び図１１で示すように、蓋本体７が中途の所定角度或いは完全に開いた所定位置の時に蓋本体７を前面枠６に対してそれぞれ停止させるストッパー機構８とから成る。そこで、以下、これらの各部材について順番に説明する。
【００１２】
まず前面枠６は、中央部にシートスイッチ３のマトリックス部３ａ露出用の開口１０を有するプレート部１１と、このプレート部１１の左右端部にそれぞれ突出状態に連設形成された一対の縦枠部１２、１２とから構成され、プレート部１１の適宜箇所には、シートスイッチ３の適宜箇所に設けられたネジ孔９と符合する固着具５用貫通孔１３が複数個形成されている。なお、前記縦枠部１２、１２は、本実施例ではプレート部１１の上端部から下端部まで形成されているが、上端部のみに形成しても良い。
【００１３】
しかして、前記プレート部１１の下端部の表面には、水平方向に指差し込み用の段差部１４が形成されている。またプレート部１１の裏面には、図５で示すように突起部１５が周設され、この突起部１５は前面枠６の裏側に一体的に嵌着されるゴム性のパッキン１６の周溝１７と嵌合する。
【００１４】
なお、前記パッキン１６もシートスイッチ３のマトリックス部３ａ露出用の矩形状開口１８を有すると共に、この開口１８を形成するパッキン１６の縁部１９は、プレート部１１側のテーパー面２０と一致するように断面山形状に形成されている。
【００１５】
また前記縦枠部１２、１２の上端部内側には、後述する蓋本体７の軸穴２６、２６とそれぞれ対向する左右一対の切欠状軸穴２１、２１が形成されている。これらの切欠状軸穴２１、２１の断面は、図６で示すように円形である。
【００１６】
次に蓋本体７は、後述するストッパー機構８の横軸を介し、前面枠６の左右の縦枠部１２、１２内に開閉自在に設けられ、該ストッパー機構により、例えば略９０度回転した状態では自然に閉じる方向へ下降しないように支持されると共に、略１８０度上昇回転した状態では容易にそれ以上回転しないようにストッパーされる。
【００１７】
しかして、２５は蓋本体７の取付け上端部で、この取付け上端部２５の左右端部には、横方向の軸穴２６、２６が左右一対設けられている。これらの軸穴２６、２６の断面は横軸の断面形状に対応し、略トラック状である。蓋本体７は、本実施例では全体としてはやや弧状のカバー部２７に前記取付け上端部２５の端部と交差方向にそれぞれ連設する左右の側壁２８、２８を有する。また蓋本体７は、図５で示すように前面枠６に対して閉じた際に、その自由端部２９が前記プレート部１１の指差し込み用段差部１４から多少突出する。
【００１８】
次に蓋本体７を中途の開閉位置では自然に閉じる方向へ下降しないように支持すると共に、略完全に開いた状態では容易にそれ以上回転しないようにストッパーするストッパー機構８は、本実施例では図６ないし図１１で示すように左右一対の板バネ３０と、これらの板バネ３０の自由端部とそれぞれ面接触ないし圧接する一対の横軸３１とから成る。
【００１９】
しかして、前記板バネ３０は、図６及び図８で示すように前面枠６の縦枠部１２、１２の上端部寄りの内側に複数個の第２固着具３２を介して縦方向に固定され、そのバネ自由端部３０ａは、前述した縦枠部１２の切欠状軸穴２１を覆うように臨んでいる。
【００２０】
また前記横軸３１は、図７で示すように蓋本体７の軸穴２６及び前面枠６の切欠状軸穴２１にそれぞれ嵌挿され、かつ、蓋本体７の軸穴２６に内装された第２のバネ（例えばコイルバネ）３３を介して外方向に付勢される。そして、横軸３１は図９乃至図１１で示すように断面が楕円状で、その外周面が略トラック状に形成されている。すなわち、横軸３１は蓋本体７が閉じた状態並びに略１８０度上昇回転した状態でそれぞれ板バネ３０の自由端部３０ａの一側面と面接触する表裏（二つ）のフラット面３４、３４と、これらのフラット面３４、３４と交差的に連設し、かつ、蓋本体７が略９０度回転した状態で一方側が線乃至線的接触（多少面接触する場合も含む。）をする弧状の圧接面３５を有する。
【００２１】
上記構成に於いて、図９乃至図１１を参照にしながら蓋本体７の開閉状態を説明する。まず図９は蓋本体７が閉じた状態を示す。この場合ストッパー機構８の板バネ３０は横軸３１の一方側（裏側）のフラット面３４と面接触しているが、板バネ３０は横軸３１を介し、開放した蓋本体７に対して特別な機能（支持機能、ストッパー機能）を発揮していない。
【００２２】
次に図１０は指を前面枠６の段差部１４に差し込んだ後、蓋本体７を略９０度回転させた状態を示す。この場合蓋本体７が回転すると共に横軸３１も一緒に回転する。この時板バネ３０は、横軸３１の一方側の弧状圧接面３５が該板バネ３０に摺動しながら回転するので、板バネ３０のバネ自由端部３０ａは矢印Ａ方向に外拡変位する。
【００２３】
その結果、横軸３１は板バネ３０に対して線乃至線的接触の状態で圧接するので、蓋本体７は横軸３１を介して板バネ３０に支持され、自然に閉じる方向へ下降しない（ストッパー機構８の支持機能）。
【００２４】
次に図１１は蓋本体７をさらに９０度回転させ、蓋本体７が完全に開いた状態である。本実施例では蓋本体７を所定角度或いは所定位置（本実施例では略１８０度）に開いた状態を示す。この場合板バネ３０は元の位置に復帰し、蓋本体７と一緒に回転した横軸３１の他方側のフラット面３４が板バネ３０と面接触する。その結果、蓋本体７は横軸３１を介して板バネ３０にストッパーされ、容易にそれ以上回転しない（ストッパー機構８のストッパー機能）。
【００２５】
なお、蓋本体７を前面枠６に取付ける場合は、まず第２のバネ３３を蓋本体７の軸穴２６の奥に入れた後、横軸３１の一端部を軸穴２６に差し入れる。次に横軸３１の突出する他端部を、例えば前面枠６の縦枠部１２の内壁面１２ａに当てたり、あるいは突出する他端部に指を当てる等して、横軸３１を第２のバネ３３のバネ力に抗しながら軸穴２６内に押し込む。そして、この状態で適宜に横軸３１の突出しようとする他端部を前面枠６の切欠状軸穴２１に合わせる。そうすると、横軸３１の他端部は前面枠６の縦枠部１２の切欠状軸穴２１にスライドしながら「パチン」と簡単に嵌合する。
【００２６】
【発明の効果】
以上の説明から明らかなように、本発明にあっては次に列挙するような効果がある。
（１）蓋本体を例えば９０度回転した時、蓋本体が横軸を介して板バネで支持されているので、蓋本体を指で掴まなくても、簡単に暗証符号を入力することができる。
（２）蓋本体を完全に回転した所でストッパー機構が作用する。したがって、蓋本体が壁部に当接ないし衝打して傷付つき、あるいは破損することを回避することができる。
（３）横軸３１が蓋本体７の軸穴２６に内装された第２のバネ３３を介して穴の外方向に付勢されるので、蓋本体７を前面枠６に容易に取り付けることができる。
【図面の簡単な説明】
図１ないし図１１は本発明の一実施例を示す各説明図。
【図１】正面図。
【図２】蓋を完全に開いた状態の正面図。
【図３】蓋本体と暗証符号入力盤との関係を示す斜視図。
【図４】分解斜視図。
【図５】図１の５−５線拡大断面図。
【図６】図１の６−６線拡大断面図。
【図７】正面側から見た要部の説明図。
【図８】背面側から見た要部の説明図。
【図９】蓋本体が閉じた状態の要部の説明図。
【図１０】蓋本体が略９０度回転した状態の要部の説明図。
【図１１】蓋本体が略１８０度回転した状態の要部の説明図。
【符号の説明】
１…暗証符号入力盤、３…シートスイッチ、
４…蓋、６…前面枠、７…蓋本体、８…ストッパー機構、
１０、１８…開口、１１…プレート部、１２…縦枠部、１４…段差部、
１６…パッキン、１９…縁部、２０…テーパー面、２１…切欠状軸穴、
２５…取付け上端部、２７…カバー部、２８…側壁、２９…自由端部、
３０…板バネ、３０ａ…バネ自由端部、
３１…横軸、３４…フラット面、３５…圧接面。
【図１】
0003717201.tif 000002
【図２】
0003717201.tif 000003
【図３】
0003717201.tif 000004
【図４】
0003717201.tif 000005
【図５】
0003717201.tif 000006
【図６】
0003717201.tif 000007
【図７】
0003717201.tif 000008
【図８】
0003717201.tif 000009
【図９】
0003717201.tif 000010
【図１０】
0003717201.tif 000011
【図１１】
0003717201.tif 000012